(57)【要約】【課題】衛星デジタル放送送信機においてスーパフレームの順序情報であるスーパフレームカウンティングデータを含むパイロット放送チャネル信号を生成するパイロット放送チャネル処理装置およびその信号処理方法を提供する。【解決手段】パイロット放送チャネル処理装置２００は、フレームの同期獲得のための同期データ（ＰＳ、Ｄ１、Ｄ２）、放送チャネルの制御のための制御データ（Ｄ３−Ｄ５０）、およびスーパフレームの順序情報であるスーパフレームカウンティングデータ（Ｄ５１）をそれぞれ時間分割してフレームを生成するフレーム生成部２１０と、転送される受信機の固有コードをフレームに付与するコード付与部２５０と、固有コードが付与されたフレームを所定の変調方式で変調する変調部２７０と、を有する。従って、衛星デジタル放送において両方向サービス（例えば、予約動作サービスなど）を実現することができる。【選択図】      図１
2005086806.tif 000002
【特許請求の範囲】
【請求項１】
フレームの同期獲得のための同期データ、放送チャネルの制御のための制御データ、およびスーパフレームの順序情報であるスーパフレームカウンティングデータ、をそれぞれ時間分割してフレームを生成するフレーム生成部と、
転送される受信機の固有コードを前記フレームに付与するコード付与部と、
前記固有コードが付与された前記フレームを所定の変調方式で変調する変調部と、を含むことを特徴とする衛星デジタル放送送信機のパイロット放送チャネル処理装置。
【請求項２】
前記スーパフレームカウンティングデータは、前記フレーム内のタイムスロットのうち、予備タイムスロットに挿入されることを特徴とする請求項１に記載の衛星デジタル放送送信機のパイロット放送チャネル処理装置。
【請求項３】
前記スーパフレームは、所定個数の前記フレームからなり、前記フレーム内の前記予備タイムスロットに挿入される前記スーパフレームカウンティングデータは、前記スーパフレーム内に前記所定回繰り返される構造を有することを特徴とする請求項２に記載の衛星デジタル放送送信機のパイロット放送チャネル処理装置。
【請求項４】
前記スーパフレームは、６個のフレームを有し、前記フレーム内の前記予備タイムスロットに挿入される３２ｂｉｔのスーパフレームカウンティングデータは、前記スーパフレーム内に６回繰り返される構造を有することを特徴とする請求項３に記載の衛星デジタル放送送信機のパイロット放送チャネル処理装置。
【請求項５】
前記衛星デジタル放送送信機がＱＰＳＫ変調方式である場合、前記予備タイムスロットは、ＩチャネルおよびＱチャネルに対して６４ｂｉｔを有し、前記スーパフレーム内に前記６４ｂｉｔのスーパフレームカウンティングデータが６回繰り返される構造を有することを特徴とする請求項４に記載の衛星デジタル放送送信機のパイロット放送チャネル処理装置。
【請求項６】
前記スーパフレームカウンティングデータは、前記予備タイムスロット内において所定回繰り返される構造を有することを特徴とする請求項２に記載の衛星デジタル放送送信機のパイロット放送チャネル処理装置。
【請求項７】
前記予備タイムスロット内に４ｂｉｔの前記スーパフレームカウンティングデータが８回繰り返される構造を有し、これにより６個のフレームからなる前記スーパフレーム内に２４ｂｉｔのスーパフレームカウンティングデータを有することを特徴とする請求項６に記載の衛星デジタル放送送信機のパイロット放送チャネル処理装置。
【請求項８】
前記衛星デジタル放送送信機は、衛星デジタル放送規格ITU-R Rec.BO.1130 System Eに適用されることを特徴とする請求項１に記載の衛星デジタル放送送信機のパイロット放送チャネル処理装置。
【請求項９】
フレームの同期獲得のための同期データ、放送チャネルの制御のための情報データ、およびスーパフレームの順序情報であるスーパフレームカウンティングデータ、をそれぞれ時間分割してフレームを生成する段階と、
転送される受信機の固有コードを前記フレームに付与する段階と、
前記固有コードが付与された前記フレームを所定の変調方式で変調する段階と、を含むことを特徴とする衛星デジタル放送送信機のパイロット放送チャネル信号処理方法。
【請求項１０】
前記スーパフレームカウンティングデータは、前記フレーム内のタイムスロットのうち、予備タイムスロットに挿入されることを特徴とする請求項９に記載の衛星デジタル放送送信機のパイロット放送チャネル信号処理方法。
【請求項１１】
前記スーパフレームは、所定個数の前記フレームからなり、前記フレーム内の前記予備タイムスロットに挿入される前記スーパフレームカウンティングデータは、前記スーパフレーム内に前記所定回繰り返される構造を有することを特徴とする請求項１０に記載の衛星デジタル放送送信機のパイロット放送チャネル信号処理方法。
【請求項１２】
前記スーパフレームは、６個のフレームを有し、前記フレーム内の前記予備タイムスロットに挿入される３２ｂｉｔのスーパフレームカウンティングデータは、前記スーパフレーム内に６回繰り返される構造を有することを特徴とする請求項１１に記載の衛星デジタル放送送信機のパイロット放送チャネル信号処理方法。
【請求項１３】
前記衛星デジタル放送送信機がＱＰＳＫ変調方式である場合、前記予備タイムスロットは、ＩチャネルおよびＱチャネルに対して６４ｂｉｔを有し、前記スーパフレーム内に前記６４ｂｉｔのスーパフレームカウンティングデータが６回繰り返される構造を有することを特徴とする請求項１２に記載の衛星デジタル放送送信機のパイロット放送チャネル信号処理方法。
【請求項１４】
前記スーパフレームカウンティングデータは、前記予備タイムスロット内において所定回繰り返される構造を有することを特徴とする請求項１０に記載の衛星デジタル放送送信機のパイロット放送チャネル信号処理方法。
【請求項１５】
前記予備タイムスロット内に４ｂｉｔの前記スーパフレームカウンティングデータが８回繰り返される構造を有し、これにより６個のフレームからなる前記スーパフレーム内に２４ｂｉｔのスーパフレームカウンティングデータを有することを特徴とする請求項１４に記載の衛星デジタル放送送信機のパイロット放送チャネル信号処理方法。
【請求項１６】
前記衛星デジタル放送送信機は、衛星デジタル放送規格ITU-R Rec.BO.1130 System Eに適用されることを特徴とする請求項９に記載の衛星デジタル放送送信機のパイロット放送チャネル信号処理方法。
【発明の詳細な説明】
【技術分野】
【０００１】
本発明は、衛星デジタル放送送信機に関し、より詳しくは、放送チャネルの同期情報および動作に必要な制御情報を転送するパイロット放送チャネルの処理装置およびその信号処理方法に関する。
【背景技術】
【０００２】
既存の衛星デジタル放送規格(ITU-R Rec.BO.1130 System E)においては、多様な放送チャネル情報、同期情報および制御情報等を転送するパイロットチャネル(Pilot Channel)を提案している。このような方式が適用された衛星デジタル送信機においては、動作中に常にパイロットチャネルを通じて放送チャネルの制御情報信号が転送されることにより、自由なチャネル選択の長所を有する。
【０００３】
ところが、このようなパイロットチャネルを通じて転送される放送チャネル情報／制御信号には、１つのスーパフレーム内のフレームの順序情報であるフレームカウンティングデータのみが存在し、現在のフレームを含んでいるスーパフレームの順序情報は、存在していない。
【非特許文献１】衛星デジタル放送規格ITU-R Rec.BO.1130 System E
【発明の開示】
【発明が解決しようとする課題】
【０００４】
本発明は、前記のような課題を解決するために導出されたものであって、衛星デジタル放送送信機においてスーパフレームの順序情報であるスーパフレームカウンティングデータを含むパイロット放送チャネル信号を生成するパイロット放送チャネル処理装置およびその信号処理方法を提供することを目的とする。
【課題を解決するための手段】
【０００５】
本発明の目的を達成するための衛星デジタル放送送信機のパイロット放送チャネル処理装置は、フレーム同期獲得のための同期データ、放送チャネルの制御のための制御データ、およびスーパフレームの順序情報であるスーパフレームカウンティングデータ、をそれぞれ時間分割してフレームを生成するフレーム生成部と、転送される受信機の固有コードを前記フレームに付与するコード付与部と、前記固有コードが付与された前記フレームを所定の変調方式で変調する変調部と、を含む。
【０００６】
前記スーパフレームカウンティングデータは、前記フレーム内のタイムスロットのうち、予備(reserved)タイムスロットに挿入される。
【０００７】
前記スーパフレームは、所定個数の前記フレームからなり、前記フレーム内の前記予備タイムスロットに挿入される前記スーパフレームカウンティングデータは、前記スーパフレーム内に前記所定回繰り返される構造を有することを特徴とする。
【０００８】
例えば、前記スーパフレームは、６個のフレームからなる場合、前記フレーム内の前記予備タイムスロットに挿入される３２ｂｉｔのスーパフレームカウンティングデータは、前記スーパフレーム内に６回繰り返される構造を有することになる。
【０００９】
前記スーパフレームカウンティングデータは、前記予備タイムスロット内において所定回繰り返される構造を有し、例えば、前記予備タイムスロット内に４ｂｉｔの前記スーパフレームカウンティングデータが８回繰り返される構造を有し、これにより６個のフレームからなる前記スーパフレーム内に２４ｂｉｔのスーパフレームカウンティングデータを有することになる。
【００１０】
一方、本発明による衛星デジタル放送送信機のパイロット放送チャネル信号処理方法は、フレームの同期獲得のための同期データ、放送チャネルの制御のための情報データ、およびスーパフレームの順序情報であるスーパフレームカウンティングデータ、をそれぞれ時間分割してフレームを生成する段階と、転送される受信機の固有コードを前記フレームに付与する段階と、前記固有コードが付与された前記フレームを所定の変調方式で変調する段階と、を含むことを特徴とする。
【００１１】
好ましくは、前記スーパフレームカウンティングデータは、前記フレーム内のタイムスロットのうち、予備タイムスロットに挿入される。
【００１２】
従って、従来の衛星デジタル放送規格の予備タイムスロットにスーパフレームカウンティングデータを挿入して転送することにより、両方向サービス（例えば、予約動作サービス等）を実現することができる。
【発明の効果】
【００１３】
本発明によると、パイロット放送チャネルを通じて転送されるフレーム内にスーパフレーム順序情報であるスーパフレームカウンティングデータを転送することにより、既存の規格に影響を与えることなく、正確なスーパフレームの順序情報を転送することにより衛星デジタル放送サービスの品質を向上させることができる。
【００１４】
また、既存の規格においてタイムスロットは、別途のエラー訂正のためのエンコーディングを行っていないという特性により、受信側においては、別途の遅延なくスーパフレームカウンティングデータを活用することができる。
【発明を実施するための最良の形態】
【００１５】
以下、図面を参照して本発明をより詳しく説明する。
図１は、本発明による衛星デジタル放送送信機に対する概略的なブロック図である。衛星デジタル放送送信機は、放送チャネル処理装置１００、パイロット放送チャネル処理装置２００およびマルチプレクサ３００を有している。
【００１６】
放送チャネル処理装置１００は、複数個の放送チャネルに対応して複数個の放送データをそれぞれ処理する複数個の放送チャネル処理部１１０を有する。
【００１７】
第１放送チャネル処理部１１０は、第１チャネルに対応して生成された放送データをエンコーディングするエンコーダ１１１と、エンコーディングされた第１チャネルの放送データをＩ信号およびＱ信号に分離するＩ／Ｑ分離部１１３と、第１チャネルの放送データを受信する受信機の固有コードをウォルッシュコード(Walsh Code)および擬似雑音列(Pseudo Random Sequence)の組合せにより付与するコード付与部１１５および第１チャネルの放送データを所定の変調方式で変調する変調部１１７を含む。
【００１８】
このような放送チャネル処理部１１０は、衛星デジタル放送送信機が支援可能な複数個の放送チャネルに対応して複数個設けられ、それぞれの放送データの処理過程は同一である。
【００１９】
パイロット放送チャネル処理装置２００は、送信機において支援可能な複数個の放送チャネルに対する情報データおよび制御データ等を処理し、パイロット放送チャネルを通じて受信機に転送する。パイロット放送チャネル処理装置２００は、スーパフレームの順序情報であるスーパフレームカウンティングデータを含むフレームを生成するフレーム生成部２１０と、生成されたフレームをＩ信号およびＱ信号に分離するＩ／Ｑ分離部２３０と、ウォルッシュコード(Walsh Code)および擬似雑音列(Pseudo Random Sequence)の組合わせにより受信機の固有コードを付与するコード付与部２５０およびＱＰＳＫ変調方式で変調する変調部２７０を含む。
【００２０】
フレーム生成部２１０は、マルチプレクサ２１１を有し、マルチプレクサ２１１は、フレーム同期獲得のための同期データ（ＰＳ、Ｄ１、Ｄ２）とエンコーダ２１３によりエンコーディングされた複数個の放送チャネルに対する制御データ（Ｄ３ないしＤ５０）およびスーパフレームの順序情報であるスーパフレームカウンティングデータ（Ｄ５１）をそれぞれ時間分割してフレームを生成する。
【００２１】
ここで、フレーム同期獲得のための同期データとしては、パイロットシンボル（ＰＳ）と、ユニークワードデータ(Unique Word data)（Ｄ１）およびフレームカウンティングデータ(Frame Counting data)（Ｄ２）を有する。
図２は、フレーム生成部２１０から生成されたフレームの構造を示した図である。図示されたとおり、１つのフレーム構造は、５１個のデータタイムスロットＤ１〜Ｄ５１を有し、それぞれのデータタイムスロットＤ１〜Ｄ５１の前端には、パイロットシンボルが挿入されるパイロットタイムスロットＰＳが設けられる。そして、１つのフレームにおいて、最後のデータタイムスロットＤ５１には、スーパフレームカウンティングデータが挿入される。ここで、１つのタイムスロット（ＰＳ、Ｄ１〜Ｄ５１）のサイズは、３２ｂｉｔを有する。
【００２２】
以下においては、図３および図４を参照し、本発明によってタイムスロットＤ５１に挿入されるスーパフレームカウンティングデータの構造を説明する。
【００２３】
図３は、一例としてＱＰＳＫ変調方式の場合、スーパフレームカウンティングデータが挿入されるタイムスロットＤ５１の構造を示したものである。
【００２４】
図示されたように、タイムスロットＤ５１は３２ｂｉｔのサイズを有し、ＱＰＳＫ変調方式の場合は、図示されたようにＩチャネルおよびＱチャネルを同時に受信することができるため、総計６４ｂｉｔのサイズを有する。従って、６個のフレームのタイムスロットＤ５１にスーパフレームカウンティングデータが６回繰り返される構造で挿入される。このように、繰返されるデータ構造により、転送エラーを最少化することができる。
【００２５】
勿論、ＰＳＫ変調方式の場合は、１フレームのタイムスロットＤ５１に３２ｂｉｔのスーパフレームカウンティングデータを挿入し、スーパフレーム内には３２ｂｉｔのスーパフレームカウンティングデータが６回繰り返される構造を有することになる。
【００２６】
図４は、他の例として従来のタイムスロットＤ２に挿入されるフレームカウンティングデータの構造を参考にして具現した例である。
従来のタイムスロットＤ２に挿入されるフレームカウンティングデータの構造は、図５に示されたとおりである。３２ｂｉｔのサイズを有するタイムスロットを８等分し、４ｂｉｔのフレームカウンティングデータを繰り返す構造を有する。このような構造は、従来の送信機において転送エラーレートに対して考慮された方式であるため、これを利用して本発明によるスーパフレームカウンティングデータを転送すれば、スーパフレームカウンティングデータを検証された最小の転送エラーレートで転送することができる。
【００２７】
図４に示したように、タイムスロットＤ５１に４ｂｉｔのスーパフレームカウンティングデータを８回繰り返して挿入する。前記のような方式で毎フレームに適用すれば、１つのスーパフレーム（ＦＲＡＭＥ０ないしＦＲＡＭＥ５）に転送されるスーパフレームカウンティングデータは、２４ｂｉｔのサイズを有する。
【００２８】
図３および図４に示されたように、繰り返される構造で転送することにより、スーパフレームカウンティングデータの転送エラーレートを最少化することができる。また、スーパフレームカウンティングデータに対して別途のエンコーディングを行わないため、受信側においてはチャネルデコーディングによる遅延時間なく直ちに活用できるという長所を併せて有する。
【００２９】
図６は、本発明によるパイロット放送チャネル処理装置の信号処理方法に対するフローチャートである。
フレーム生成部２１０は、パイロットシンボルＰＳと、ユニークワードデータ(Unique Word data)（Ｄ１）と、フレームカウンティングデータ(Frame Counting data)（Ｄ２）と、エンコーダ２１３によりエンコーディングされた複数個の放送チャネルに対する制御データ（Ｄ３ないしＤ５０）およびスーパフレームの順序情報であるスーパフレームカウンティングデータ（Ｄ５１）を時間多重分割してフレームを生成する（Ｓ６１１）。
【００３０】
この時、フレーム内に挿入されるスーパフレームカウンティングデータの構造は、多様なフォーマットの適用が可能であり、例えば、図３および図４に示されたように繰返しスーパフレームカウンティングデータを挿入して転送エラーレートを最小化する。
【００３１】
スーパフレームカウンティングデータ（Ｄ５１）を含むフレームは、Ｉ／Ｑ分離部２３０を通じてＩチャネルおよびＱチャネルに分離される（Ｓ６１３）。
【００３２】
ＩチャネルおよびＱチャネルに分離されたフレームは、コード付与部２５０において受信機の固有コードをウォルッシュコード(Walsh Code)および擬似雑音列(Pseudo Random Sequence)の組合せにより付与する（Ｓ６１５）。
変調部２７０においては、固有コードが付与されたフレームをＱＰＳＫ変調方式で変調する（Ｓ６１７）。
【００３３】
以上のとおり、従来の衛星デジタル方式規格の予備タイムスロットＤ５１にスーパフレームカウンティングデータを挿入して転送することにより、予約放送サービスの実現が可能になる。
【００３４】
更に、サービス提供者側においてスーパフレームのカウンティングデータは、サービスを正確に時間単位で制御できる情報となり、フレームカウンティングデータと共にスーパフレームカウンティングデータを連動して使用すれば、所定のフレームが何回目のスーパフレーム内の何番目の時間位置に存在するかを正確に分かる。
【００３５】
従って、サービス提供者は、顧客が要求する特定の時間に放送コンテンツを提供することができ、受信される放送情報データに一定間隔で時間情報を有しているため、受信者はこのような時間情報を利用して所望の放送情報データを容易に検索することができる。
【００３６】
以上で、本発明の好ましい実施例について図説したが、本発明は、前述した特定の実施例に限らず、請求の範囲で請求する本発明の要旨を逸脱しない限りにおいて、当該発明の属する技術分野において通常の知識を持つ者ならば、誰でも多様な変形させて実施が可能なことは勿論、そのような変更は請求の範囲の記載の範囲内にあることになる。
【産業上の利用可能性】
【００３７】
放送チャネルの同期情報および動作に必要な制御情報を転送するパイロット放送チャネルの処理装置に適用することができる。
【図面の簡単な説明】
【００３８】
【図１】本発明に係る衛星デジタル放送送信機に対する概略的なブロック図である。
【図２】図１のパイロット放送チャネル処理装置により生成されたフレーム構造図である。
【図３】本発明に係るフレーム内のタイムスロットＤ５１のデータ構造の一例示図である。
【図４】本発明に係るフレーム内のタイムスロットＤ５１のデータ構造の他の例示図である。
【図５】従来の衛星デジタル放送規格に係るフレーム内のタイムスロットＤ２のデータ構造図である。
【図６】本発明に係るパイロット放送チャネル処理装置によりスーパフレームカウンティングデータが挿入される信号処理方法に対するフローチャートである。
【符号の説明】
【００３９】
１００  放送チャネル処理装置
２００  パイロット放送チャネル処理装置
２１０  フレーム生成部
２３０  Ｉ／Ｑ分離部
２５０  コード付与部
２７０  変調部
【図１】
2005086806.tif 000003
【図２】
2005086806.tif 000004
【図３】
2005086806.tif 000005
【図４】
2005086806.tif 000006
【図５】
2005086806.tif 000007
【図６】
2005086806.tif 000008